(57)【特許請求の範囲】
【請求項１】
カードリーダ全体の動作を制御する本体制御部および送受信データの変復調を行う無線回路部とを格納する筐体と、非接触ＩＣカード又はアクティブタグとの通信を行うための交流磁界を発生するループアンテナと、枠体の中央部に設けられた開口周縁に前記筐体を係止保持する係止部材が形成された取付け枠と、当該非接触ＩＣカードリーダ装置の取り付け先である壁面に向かう正対視で前記取付け枠と前記筐体とのいずれをも隠蔽する大きさに形成された化粧パネルと、この化粧パネルを前記取付枠に固定するためのベースとを有し、非接触ＩＣカード又はアクティブタグと非接触に通信を行う非接触ＩＣカードリーダ装置であって、
前記ループアンテナは、前記取付枠、ベース、および化粧パネルの内のいずれか２つ以上に、中心軸を互いに一致させて、いずれも、前記筐体よりも大きく巻回するよう積層されていることを特徴とする非接触ＩＣカードリーダ装置。
【請求項２】
前記各ループアンテナは、巻数および径寸法が同じであることを特徴とする請求項１に記載の非接触ＩＣカードリーダ装置。
【請求項３】
前記各ループアンテナは、巻数が同じで、径寸法が異なっていることを特徴とする請求項１に記載の非接触ＩＣカードリーダ装置。
【請求項４】
前記各ループアンテナは、巻数が異なり、径寸法が同じであることを特徴とする請求項１に記載の非接触ＩＣカードリーダ装置。
【発明の詳細な説明】
【技術分野】
【０００１】
本発明は、ＩＣカードとの間において、非接触で通信を行うＩＣカードリーダ装置に関し、例えば入退室管理システム、自動改札システム、電子マネー等におけるＩＤカード、管理カード、定期券、回数券、キャッシュカード等の非接触式ＩＣカードとの間において、非接触で通信を行う非接触ＩＣカードリーダ装置に関するものである。
【背景技術】
【０００２】
従来より、壁面に埋め込んで取り付ける非接触ＩＣカードリーダ装置では、ＩＣカードと通信を行うループアンテナと、送受信データの変復調を行うと共に、カードリーダを制御する制御部と、これらを格納する筐体を有するものがある。そして、筐体を壁面に埋め込んで取り付けるために、取付け枠，前面を保護する化粧パネル、化粧パネルを取り付けるベースを備えている。
【０００３】
上記のような非接触ＩＣカードリーダ装置においては、ＩＣカードと通信を行うためのループアンテナは筐体内に設けている。しかも、取付け枠やベースや化粧パネルのサイズに対して相対的に筐体のサイズを小さくしなければならない。従って、筐体内に格納するループアンテナのサイズが小さくなってしまった。
【０００４】
ループアンテナのサイズはＩＣカードの読取り可能距離を決める重要な要素であり、ループアンテナのサイズが小さくなることにより、ＩＣカードの読取り可能距離が短くなってしまうという問題点がある。
【０００５】
また、取付け枠が金属等の導体の場合にはループアンテナから発生する交流磁界により、渦電流が発生してアンテナ特性を劣化させ、ＩＣカードの読取り距離が短くなってしまうという問題点もある。
【０００６】
また、美観上の観点からループアンテナを含む筐体は壁面からの突出をさけるために、取付け枠よりも後方に配置されることも、ＩＣカードの読取り距離が短くなってしまう原因となっている。
【０００７】
非接触ＩＣカードリーダ装置のアンテナの取り付け方法について、アンテナの位置関係が大きくずれることなく、安定的に維持するようにした技術として、例えば、特許文献１が提案されている。
【０００８】
特許文献１の非接触ＩＣカードリーダ装置は、送信アンテナから電磁波を送信し非接触ＩＣカードから送信された電磁波を受信アンテナで受信する。これらのアンテナのうち少なくとも一方はコイルとし、コイルを保持する絶縁性を有する基板と、コイルを基板に固定する取付け手段を有している。取付け手段は基板の所定位置にコイルを固定するためのものであり、それぞれコイルを横切って、基板のコイル配置位置に配設された透孔に係合し、コイルを所定位置に固定する。
【０００９】
また、壁面埋め込み式の非接触ＩＣカードリーダ装置のアンテナについて、アンテナの操作面側表面近傍の金属体がアンテナの通信可能な距離に影響を与えないようにした非接触ＩＣカードリーダ装置が知られている（例えば、特許文献２）。この特許文献２には、アンテナの操作面側表面近傍の金属性化粧部材により読みとり距離に影響を与えないように、化粧部材に切り込みを付けた技術が開示されている。
【特許文献１】特開２００１−１２６０３６号公報
【特許文献２】特開平４−８６９７４号公報
【発明の開示】
【発明が解決しようとする課題】
【００１０】
上記特許文献１の非接触ＩＣカードリーダ装置によれば、アンテナを効率よく固定できるようにしたことについて開示されている。しかし、特許文献１には、壁面に埋め込む非接触ＩＣカードリーダにおいて、アンテナをできるだけ前面に出すことによって壁面からＩＣカードまでの通信可能距離をできるだけ延ばせるようにすることや、通信感度および通信可能距離をかせぐためにアンテナを大きくすることについては記載されていない。
【００１１】
また、特許文献２は、アンテナの操作面側表面近傍の金属性化粧部材によってＩＣカードを読み取り可能な距離（通信可能距離）に影響を与えないようにした非接触ＩＣカードリーダに関するもので、化粧部材に切り込みを付けた技術が開示されている。しかし、壁面からＩＣカードまでの通信可能距離をできるだけ延ばせるようにすることや、通信感度および通信可能距離をかせぐためにアンテナを大きくすることについては記載されていない。
【００１２】
本発明は、上記のような問題点に鑑みてなされたものであって、ＩＣカードまでの通信可能距離をできるだけ延ばせるようにすべく、アンテナのサイズを大きくとれてアンテナ特性の劣化を防げる非接触ＩＣカードリーダ装置を提供することを目的とする。
【課題を解決するための手段】
【００１３】
上述のような目的を達成するために、本発明は次の構成を採用している。
【００１４】
すなわち、請求項１記載の発明に係る非接触ＩＣカードリーダ装置は、カードリーダ全体の動作を制御する本体制御部および送受信データの変復調を行う無線回路部とを格納する筐体と、非接触ＩＣカード又はアクティブタグとの通信を行うための交流磁界を発生するループアンテナと、枠体の中央部に設けられた開口周縁に前記筐体を係止保持する係止部材が形成された取付け枠と、当該非接触ＩＣカードリーダ装置の取り付け先である壁面に向かう正対視で前記取付け枠と前記筐体とのいずれをも隠蔽する大きさに形成された化粧パネルと、この化粧パネルを前記取付枠に固定するためのベースとを有し、非接触ＩＣカード又はアクティブタグと非接触に通信を行う非接触ＩＣカードリーダ装置であって、前記ループアンテナは、前記取付枠、ベース、および化粧パネルの内のいずれか２つ以上に、中心軸を互いに一致させて、いずれも、前記筐体よりも大きく巻回するよう積層されていることを特徴とする。
【００１５】
請求項２記載の発明に係る非接触ＩＣカードリーダ装置は、請求項１記載の発明の構成において、前記各ループアンテナは、巻数および径寸法が同じであることを特徴とする。
【００１６】
請求項３に係る発明の非接触ＩＣカードリーダ装置は、前記各ループアンテナは、巻数が同じで、径寸法が異なっていることを特徴とする。
【００１７】
請求項４記載の発明に係る非接触ＩＣカードリーダ装置は、請求項１記載の発明の構成において、前記各ループアンテナは、巻数が異なり、径寸法が同じであることを特徴とする。
【発明の効果】
【００１８】
本発明の請求項１記載の発明によれば、ループアンテナが、取付枠、ベース、化粧パネルの内、いずれか２つ以上に中心軸を一致させてそれぞれ形成される構成としたので、ループアンテナを壁面よりも前面に出すことが可能となり、従来のように筐体内にループアンテナを構成する場合に比べて、アンテナサイズを大きくすることができるとともに、ループアンテナの巻数も多くとれるので、ＩＣカードとの間の通信可能距離を延ばすことができ、良好なアンテナ特性を得ることが可能となる。特に、ループアンテナが取付枠とベースと化粧パネルとの内１つのみに形成される場合と比べて、ループアンテナが取付枠とベースと化粧パネルとの内２つ以上に形成されるので、磁気送出のパワーが上がり、やはりＩＣカードとの間の通信可能距離を延ばすことができ、良好なアンテナ特性を得ることが可能となる。
【００１９】
また、筐体や取付枠を壁に取り付けたままでループアンテナを設けたベースを着脱することができるので、ループアンテナ２の故障時等における交換作業が容易になりメンテナンス性が向上する。
【００２０】
請求項２記載の発明は、請求項１の発明の効果に加えて、前記取付枠、ベース、化粧パネルの内、いずれか２つ以上に中心軸を一致させてそれぞれ形成される非接触ＩＣカードリーダ装置において、それぞれのループアンテナの巻数、径寸法が同じになるように設定したので、一方のループアンテナに故障が発生した場合には、他方のループアンテナに切替えて使用することができるため、信頼性を向上させることができる。
【００２１】
請求項３記載の発明は、請求項１の発明の効果に加えて、それぞれのループアンテナの巻数が同じで、径寸法が異なるようにしたので、ＩＣカードに近い領域で磁界強度が高くなる径寸法が小さなループアンテナと、ＩＣカードから遠い領域で磁界強度が高くなる径寸法が大きなループアンテナを切替えることにより、近距離で確実にＩＣカードとの通信を行いたいという要求と、ＩＣカードとの通信距離を伸ばしたいという要求とを同時に満たすことができる。
【００２２】
請求項４記載の発明は、請求項１の発明の効果に加えて、それぞれのループアンテナの巻数が異なり、径寸法が同じ設定にしたので、それぞれのループアンテナを切替えることにより、ＩＣカードとの通信可能距離を可変することができる。また、１台のカードリーダ装置で通信周波数の異なるカード規格のＩＣカードとそれぞれ最適な状態で通信が可能となる。
【発明を実施するための最良の形態】
【００２３】
以下、本発明の最良の実施の形態について、図面を参照して詳しく説明する。
（実施の形態１）
図１は、本発明の実施の形態１に係る非接触ＩＣカードリーダ装置の構成を示す分解斜視図、図２は同装置を壁面に取り付けた状態を示す側面断面図、図３は同装置を構成する筐体を示す断面図である。
【００２４】
図に示すように、この実施の形態１の非接触ＩＣカードリーダ装置１は、２つのループアンテナ２ａ，２ｂ、本体制御部３（図３参照）、無線回路部４（図３参照）、および本体制御部３や無線回路部４を格納する筐体５を有する。さらに、筐体５を壁９に取り付けるための取付枠６、この取付枠６の前面を覆う化粧パネル７、およびこの化粧パネル７を取付枠６に固定するためのベース８を備えている。
【００２５】
上記のループアンテナ２ａ，２ｂは、図示しないＩＣカードへの給電および／または通信を行うために交流磁界を発生するためのもので、後で詳述するように、この実施の形態１では化粧パネル７とベース８とにそれぞれ設けられている。
【００２６】
本体制御部３は、カードリーダ全体の動作を制御する部分であり、また、無線回路部４はループアンテナ２ａ，２ｂで送受信するデータの変復調を行うものであって、その回路部４には、ループアンテナ２ａ，２ｂのいずれか一方の接続を選択する図示しないスイッチが設けられている。そして、本体制御部３と無線回路部４とは回路基板上に設けられて筐体５内に格納されている。
【００２７】
この筐体５は、箱形をなし、本体制御部３および無線回路部４を内部に格納するとともに、取付枠６に固定されており、その大部分は壁９に形成された開口９ａの中に入り込んで設置されている。
【００２８】
取付枠６は、環状形状であるが故に磁束挿通時に渦電流を生じせしめては困るので絶縁性である必要があるため樹脂性のものである。形状の詳細については、その中央部に筐体５を嵌合するための開口部６ａが設けられるとともに、その開口部６ａの４辺には、筐体５を挟持するために係止片６ｂが形成されている。また、取付枠６の開口部６ａを挟んで対向する上下１対の辺には、壁９へねじ１０で取り付けるための１対のねじ挿通穴６ｃが形成されている。
【００２９】
ベース８は、合成樹脂製のもので、その中央部には取付枠６の外周縁に嵌合するための開口部８ａが設けられ、また、この開口部８ａの周囲に沿ってループアンテナ２ｂが形成されている。この場合のループアンテナ２ｂは、例えばスクリーン印刷などの手法により形成されている。そして、このループアンテナ２の端部はリード線１１を介して無線回路部４に接続されている。また、ベース８の前面のループアンテナ２ｂよりも外側には化粧パネル７の取付用の係合構造１２が設けられている。
【００３０】
化粧パネル７は、合成樹脂製のもので、ベース８の前面を覆って係合構造１２で取り付けられており、これによって、ねじ１０などが壁９の外部に露出して見映えが悪くなるのを防いでいる。そして、この化粧パネル７の前面にも、その周縁に沿ってループアンテナ２ａが例えばスクリーン印刷などの手法により形成されている。
【００３１】
そして、化粧パネル７およびベース８にそれぞれ形成されたループアンテナ２ａ，２ｂは、巻数および径寸法が同一となるように設定されており、しかも、化粧パネル７およびベース８を取付枠６を介して壁９へ取り付けた時には、それぞれのループアンテナ２ａ，２ｂの各渦巻き形状の中心軸が、互いに一致するように寸法設計されてある。
【００３２】
この非接触ＩＣカードリーダ装置を組み立てるには、筐体５を取付枠６の開口に嵌合して固定する。そして、ねじ１０をねじ挿通穴６ｃを通して壁９にねじ込むことで、取付枠６を壁９に固定する。次いで、ループアンテナ２ａ，２ｂの各端部をリード線１１を介して筐体５内の無線回路部４に電気的に接続し、取付枠６にベース８を固定し、さらに、このベース８の前面に化粧パネル７を係合構造１２で固定する。繰り返すが、このとき、ループアンテナ２ａ，２ｂの各渦巻き形状の中心軸が、互いに一致するように寸法設計されてある。
【００３３】
ＩＣカードを使用する際、通常は、無線回路部４の図示しないスイッチを切り替えて無線回路部４を化粧パネル７に設けられているループアンテナ２ａに電気的に接続し、筐体５内の本体制御部３からループアンテナ２ａに電流を流して交流磁界を発生させておく。この状態で、図示しないＩＣカードを非接触ＩＣカードリーダ装置１の化粧パネル７の前面にかざすと、ＩＣカードリーダ装置１から発する交流磁界により、ＩＣカードのアンテナに電流が流れて充電される。そして、ＩＣカードの制御回路が駆動され、記録されているＩＤナンバーなどの情報信号が発せられるので、この信号をループアンテナ２ａにより受信し、その情報信号を無線回路部４で分析し、本体制御部３で処理する。
【００３４】
この一方のループアンテナ２ａまたは一方のループアンテナ２ａにつながるリード線１１について、無線回路部４または本体制御部３から電流信号を印加しても電流閉路が成立せず断線等による故障が発生した場合には、本体制御部３は、無線回路部４内のスイッチを自動的に切り替えてベース８に形成されている他方のループアンテナ２ｂに接続する。このため、装置１の信頼性を高めることができる。しかも、ループアンテナ２ａ，２ｂを切り替えた場合にも２つのループアンテナ２ａ，２ｂは同等の性能であるので、一方のループアンテナ２ａから他方のループアンテナ２ｂへ切替えても性能の劣化が少なく、ＩＣカードの読み取り可能距離が短くなってしまうのを極力避けられる。このとき、一方のループアンテナ２ａよりも他方のループアンテナ２ｂのほうがＩＣカードから離れて配置せれるので、それに起因する欠点を少しでも補うべく、一方のループアンテナ２ａを使用している場合よりも他方のループアンテナ２ｂを使用している場合に印加電流を多く流せば、送出磁束に限っては、一方のループアンテナ２ａ、他方のループアンテナ２ｂの差を生じることを避けられる。
【００３５】
また、いずれのループアンテナ２ａ，２ｂを使用する場合でも、化粧パネル７やベース８は筐体５より大きなサイズで、しかも、ループアンテナ２ａ，２ｂは筐体５や取付枠６よりも前面に配置されているので、ループアンテナ２ａ，２ｂのサイズを大きくとれるとともに、アンテナ巻付回数（ターン数）も多く確保できる。このため、壁９からＩＣカードまでの通信可能距離を従来よりも延ばすことができ、良好なアンテナ特性が得られるために通信性能を向上させることが可能となる。
【００３６】
さらに、筐体５や取付枠６を壁９に取り付けたままで化粧パネル７やベース８を着脱することができる。したがって、ループアンテナ２ａ，２ｂの故障時や、異なる特性をもつループアンテナを使用する場合でも、交換作業が容易になりメンテナンス性が向上する。
【００３７】
なお、上述の実施形態では、一方のループアンテナ２ａの不通時に代用として他方のループアンテナ２ｂを使用するよう、２つのループアンテナ２ａ，２ｂを択一的に使用した例を示したが、これに限らず、ＩＣカードまでの通信可能距離をさらに延ばしたい場合には、２つのループアンテナ２ａ，２ｂをともに使ってかまわない。この場合、上述したような無線回路部４の図示しないアンテナ切り替えスイッチは使用せず、磁束送出期間では２つのループアンテナ２ａ，２ｂに同タイミングでそれぞれ同量の電流を印加するので、消費電流は上述の実施形態に比べて倍かかる。
（実施の形態２）
図４は本発明の実施の形態２に係る非接触ＩＣカードリーダ装置を示す分解斜視図であり、図１乃至図３に示した実施の形態１と対応する構成部分には同一の符号を付す。
【００３８】
この実施の形態２における非接触ＩＣカードリーダの特徴は、化粧パネル７およびベース８上に一体形成されている各ループアンテナ２ｃ，２ｄの巻数は同じであるが、径寸法（すなわち、長辺および短辺の長さ）が互いに異なるように形成されていることである。特に、この実施の形態２では化粧パネル７に形成されているループアンテナ２ｃの径寸法がベース８に形成されているループアンテナ２ｄの径寸法よりも小さくなっている。
【００３９】
その他の構成は実施の形態１と同じであるので、ここでは詳しい説明は省略する。
【００４０】
上記のように、この実施の形態２では、ループアンテナ２ｃ，２ｄの巻数が同じで径寸法を異ならせているが、この径寸法の大小相違に起因するアンテナ特性の違いについて、図５を参照して説明する。
【００４１】
図５は、互いに径寸法の異なるループアンテナについて、ループアンテナからの距離に対する磁界強度の関係を示したものである。なお、図中、実線はコイル径寸法が大きい場合、破線はコイル径寸法が小さい場合をそれぞれ示している。
【００４２】
図５から分かるように、ループアンテナの径寸法が小さいほど近接領域における磁界強度が高くなり、距離が離れるに従って磁界強度が急激に低くなり、距離による空間減衰が大きいという特徴がある。つまり、近接領域では径寸法が小さなループアンテナの方が磁界強度が高くて有利であり、逆に、遠方領域では径寸法が大きなループアンテナの方が磁界強度が高くて有利である。
【００４３】
したがって、例えば、近距離で確実にＩＣカードと通信したい用途（実験場など不用意に空間電磁波を周囲に発生させたくない施設への入退室用途など）には径寸法の小さなループアンテナ２ｃを使用し、また、ＩＣカードとの通信可能距離を伸ばしたい用途（電車や飛行機や自動車などの改札口など、頻繁に多人数が通過を許可／不許可するような用途など）には径寸法の大きなループアンテナ２ｄを使用するように、無線回路部４内の図示しないスイッチで各アンテナ２ｃ，２ｄとの接続を切り替えることにより、異なる要求を同時に満たすことができる。径寸法の小さなループアンテナ２ｃは遠方での磁界強度が低くなるのでＩＣカード情報の漏洩等に対するセキュリティを重視する用途にも向いている。
【００４４】
このように、この実施の形態２では、非接触ＩＣカードリーダ装置の通信性能の向上を図れるだけでなく、さらにユーザの利便性を向上させることが可能となる。
【００４５】
その他の作用効果は、実施の形態１の場合と同様であるから、ここでは詳しい説明は省略する。
【００４６】
なお、この実施の形態２では、化粧パネル７に形成されたループアンテナ２ｃの径寸法がベース８に形成されたループアンテナ２ｄの径寸法よりも小さくなるように構成されているが、その逆に、化粧パネル７に形成されたループアンテナ２ｃの径寸法がベース８に形成されたループアンテナ２ｄの径寸法よりも大きくなるように構成することも可能である。
【００４７】
また、２つのループアンテナを択一的に使用せずとも、送出パワーを多く必要とする場合には、２つのループアンテナを同時に送出用に使用してもかまわず、この点、上述の第１の実施形態と（消費電流量の観点を除き）同様の考え方である。
（実施の形態３）
図６は本発明の実施の形態３に係る非接触ＩＣカードリーダ装置を示す分解斜視図であり、図１ないし図３に示した実施の形態１と対応する構成部分には同一の符号を付す。
【００４８】
この実施の形態３における非接触ＩＣカードリーダ装置の特徴は、化粧パネル７およびベース８上に一体形成されている各ループアンテナ２ｃ，２ｄの径寸法（最外巻き）は同じであるが、巻数が互いに異なるように形成されていることである。特に、この実施の形態３では化粧パネル７に形成されているループアンテナ２ｅの巻数がベース８に形成されているループアンテナ２ｆの巻数よりも大きくなっている。
【００４９】
その他の構成は実施の形態１と同じであるので、ここでは詳しい説明は省略する。
【００５０】
上記のように、この実施の形態３では、ループアンテナの径寸法が同じで巻数を異ならせているが、この巻き数の大小の相違に起因するアンテナ特性の違いについて、図７を参照して説明する。
【００５１】
図７は、互いに巻数Ｎが異なるループアンテナについて、ループアンテナからの距離に対する磁界強度の関係を示したものである。なお、図中、実線はコイル巻数が多い場合、破線はコイル巻数が少ない場合をそれぞれ示している。
【００５２】
図７から分かるように、ループアンテナの巻数Ｎを多くすると発生する磁界強度が高くなる特徴がある。また、このとき距離による空間減衰の量はあまり変化しない。つまり、ループアンテナの巻数Ｎを多くすることで、アンテナからの距離によらず全域で磁界強度を高めることができる。
【００５３】
したがって、例えば、巻数の多いループアンテナ２ｅと巻数の少ないループアンテナ２ｆとを無線回路部４内の図示しないスイッチで切替選択可能なように構成することにより、カードとの通信可能距離を可変することができる。
【００５４】
また、ループアンテナは巻数が多くなると自己共振周波数が低くなることから、通信周波数の低い規格のカードとの通信には巻数Ｎの多いループアンテナ、通信周波数の高い規格のカードとの通信には巻き数の少ないループアンテナがそれぞれ適しているという特徴がある。
【００５５】
したがって、無線回路部４内に異なる通信周波数を用いるカード規格に適合した変復調部をそれぞれ設け、各々のカード規格用に対応してループアンテナ２ｅ，２ｆを選択使用することにより、１台のカードリーダ装置１で通信周波数の異なるカード規格に対して最適な状態で通信を行うことが可能となる。
【００５６】
また、この実施の形態３においても、壁９よりも前面に各ループアンテナ２ｅ，２ｆを配置することができるので、従来のように筐体５内にループアンテナを構成する場合に比べて、ループアンテナ２ｅ，２ｆの径寸法を大きくすることができる。このため、ＩＣカードとの通信可能距離を大きくすることが可能となる。
【００５７】
その他の作用効果は、実施の形態１の場合と同様であるから、ここでは詳しい説明は省略する。
【００５８】
なお、この実施の形態３では、化粧パネル７に形成されたループアンテナ２ｅの巻数がベース８に形成されたループアンテナ２ｆの巻数よりも多くなるように構成されているが、その逆に、化粧パネル７に形成されたループアンテナ２ｅの巻数よりもベース８に形成されたループアンテナ２ｆの巻数が多くなるように構成することも可能である。
【００５９】
また、２つのループアンテナを択一的に使用せずとも、送出パワーを多く必要とする場合には、２つのループアンテナを同時に送出用に使用してもかまわず、この点、上述の第１、第２の実施形態と（消費電流量の観点を除き）同様の考え方である。
（変形例）
上記の実施の形態１〜３では、化粧パネル７とベース８にそれぞれループアンテナ２ａ〜２ｆを設けた場合について説明したが、このような構成に限定されるものではなく、取付枠６、ベース８、化粧パネル７の内の任意の２つ以上に、ループアンテナを構成することができる。
【００６０】
また、その他の構成においても、上述の例に限定されるものではなく、本発明の趣旨を逸脱しない範囲で任意に構成を変更することが可能である。
【００６１】
例えば、各実施の形態１〜３において、ループアンテナ２ａ〜２ｆはスクリーン印刷等により形成しているが、これに限らず、エッチングや線状導体を巻き付けたり、外周部に貼り付けたり、挟み込んで接着したり、一体成形したりして形成することも可能である。
【００６２】
また、本例ではループアンテナ２ａ〜２ｆと無線回路部４との接続をリード線を用いて行っているが、他の接続方法によるものであってもよい。また、筐体５、取付枠６、ベース８の各固定を嵌合により実現しているが、これに限定するものではなく、ビス止め、粘着テープ等の他の手段でもかまわない。また、化粧パネル７についても、本例では係合構造１２でベース８に取り付けているが、ビス止め、嵌合等の他の手段でもかまわない。
【００６３】
さらに、上記実施の形態１〜３では、ＩＣカードとして、非接触ＩＣカードリーダ装置１のループアンテナ２ａ〜２ｆから磁気磁束を高速で往復通過させることにより内部回路に生じさせた逆起電力を内部電源として利用するタイプについて説明したが、これに限らず、ＩＣカード自体に電源を内蔵させたものであってもよい。つまり、非接触ＩＣカードリーダ装置１のループアンテナ２ａ〜２ｆからは無線信号としての磁気磁束だけをＩＣカードに送出するものであってもかまわない。
【図面の簡単な説明】
【００６４】
【図１】本発明の実施の形態１に係る非接触ＩＣカードリーダ装置を示す分解斜視図である。
【図２】同装置を壁に取り付けた状態を示す側面断面図である。
【図３】同装置を構成する筐体の断面図である。
【図４】本発明の実施の形態２に係る非接触ＩＣカードリーダ装置を示す分解斜視図である。
【図５】ループアンテナの径寸法の違いによるアンテナ特性を示す説明図である。
【図６】本発明の実施の形態３に係る非接触ＩＣカードリーダ装置を示す分解斜視図である。
【図７】ループアンテナの巻数の違いによるアンテナ特性を示す説明図である。
【符号の説明】
【００６５】
１    非接触ＩＣカードリーダ装置
２ａ，２ｂ，２ｃ，２ｄ，２ｅ，２ｆ    ループアンテナ
３    本体制御部
４    無線回路部
５    筐体
６    取付枠
７    化粧パネル
８    ベース
９    壁
【図１】
0004692217.tif 000002
【図２】
0004692217.tif 000003
【図３】
0004692217.tif 000004
【図４】
0004692217.tif 000005
【図５】
0004692217.tif 000006
【図６】
0004692217.tif 000007
【図７】
0004692217.tif 000008